(57)【要約】【課題】衣類から脱離した汚れの再付着を抑え、衣類の黒ずみや黄ばみを低減する。【解決手段】水槽３内に回転可能に設けたドラム４と、ドラム４を回転駆動するモータ９と、水槽３内に洗濯水を給水する給水手段１０と、水槽３内の洗濯水を排水する排水手段１５と、洗い、すすぎ、脱水等の各工程を逐次制御する制御手段２２とを備え、制御手段２２は、洗い工程において、洗剤を溶解させた洗濯水を給水し、ドラム４を回転させながら衣類の汚れを除去する第１の工程と、清水を給水し、第１の工程で除去した衣類の汚れを給水した清水へと移動させる第２の工程と、第２の工程で衣類の汚れを移動させた洗濯水を排水した後、洗剤を溶解させた洗濯水を給水し、ドラム４を回転させながら衣類の汚れを除去する第３の工程を実行するようにしたものである。【選択図】図１
2014147550.tif 000002
【特許請求の範囲】
【請求項１】
水槽内に回転可能に設けたドラムと、
前記ドラムを回転駆動するモータと、
前記水槽内に洗濯水を給水する給水手段と、
前記水槽内の洗濯水を排水する排水手段と、
洗い、すすぎ、脱水等の各工程を逐次制御する制御手段とを備え、
前記制御手段は、
洗い工程において、洗剤を溶解させた洗濯水を給水し、前記ドラムを回転させながら衣類の汚れを除去する第１の工程と、
清水を給水し、前記第１の工程で除去した衣類の汚れを給水した清水へと移動させた後排水する第２の工程と、
前記第２の工程の後、洗剤を溶解させた洗濯水を給水し、前記ドラムを回転させながら衣類の汚れを除去する第３の工程と、
を実行するようにしたドラム式洗濯機。
【請求項２】
前記制御手段は、前記第１の工程において給水および撹拌を行った後、前記水槽内の洗濯水を排水する排水工程を実行するようにした請求項１に記載のドラム式洗濯機。
【請求項３】
前記制御手段は、洗剤を投入して洗う前記第１の工程と前記第３の工程において、前記第１の工程で投入する洗剤量を前記第３の工程で投入する洗剤量より多くするようにした請求項１または２に記載のドラム式洗濯機。
【請求項４】
前記制御手段は、前記第２の工程での給水量を、前記第１の工程での給水量よりも多くするようにした請求項１〜３のいずれか１項に記載のドラム式洗濯機。
【請求項５】
前記水槽内の洗濯水を前記ドラム内へ送水する循環ポンプと、
前記水槽内の洗濯水を前記循環ポンプにより前記ドラム内に吐出する循環水路を有し、前記第２の工程において、前記ドラムを駆動させながら前記循環ポンプを駆動し、前記ドラム内に洗濯水を吐出させるようにした請求項１〜４のいずれか１項に記載のドラム式洗濯機。
【発明の詳細な説明】
【技術分野】
【０００１】
本発明は、衣類等の洗濯を行うドラム式洗濯機に関するものである。
【背景技術】
【０００２】
従来、この種のドラム式洗濯機は、洗浄性能を高めて衣類等の黒ずみを防止する黒ずみ防止コースを設けることが考えられている（例えば、特許文献１、２参照）。
【０００３】
特許文献１に記載された従来のドラム式洗濯機は、黒ずみ防止コースが選択されると、布量検知手段で検知した布量に対応する水位と、水位に対応する標準洗剤量の略２倍の洗剤量を表示することにより、高洗剤濃度で洗浄性能を高めて衣類の黒ずみを防止するようにしたものである。
【０００４】
特許文献２に記載された従来のドラム式洗濯機は、黒ずみ防止コースが選択されると、布量検知後、洗剤を投入して予洗いを行った後、予洗いで使用した洗濯水を排水し、再度洗剤を投入して本洗いを行うことにより、洗浄性能を高めて衣類の黒ずみを防止するようにしたものである。
【０００５】
また、回転ドラムのバッフル内に皮脂成分を吸着する吸着体を設け、洗濯時の水量が少ない場合でも、衣類から洗い出された皮脂成分を吸着体で吸着し、皮脂汚れの再付着による黄ばみや黒ずみを抑えることが考えられている（例えば、特許文献３参照）。
【先行技術文献】
【特許文献】
【０００６】
【特許文献１】特開２０１２−７５５０５号公報
【特許文献２】特開２０１２−９０８２９号公報
【特許文献３】特開２０１１−１５２２４７号公報
【発明の概要】
【発明が解決しようとする課題】
【０００７】
しかしながら、前記従来の構成では、洗浄力が高められたことと、洗い工程時の使用水量が少ないことで、洗濯衣類の周囲は衣類から除去された界面活性剤分子も含めた汚れ物質の濃度が高まり、除去した汚れが洗い工程の中で再び衣類に付着する。また、洗濯水の量が少ない場合には、洗い工程後の排水によって汚れ物質が再び衣類に付着し、引き続きドラムを高速で回転させる中間脱水工程において、汚れの種類によっては、衣類の表面に付着した汚れが繊維の奥まで洗濯水とともに入り込むことによって、洗濯終了時においても汚れが衣類に残留し、繰り返し洗濯を行うことで、衣類が黒ずんだり、時間の経過とともに黄ばんだりするという課題があった。また、吸着体を用いた場合は、交換等のメンテナンスが必要で、使い勝手が悪いとう問題があった。
【０００８】
本発明は、前記従来の課題を解決するもので、節水による洗い工程時の水量低減と、洗浄力を高めることにより、洗濯衣類周辺の汚れ濃度が高くなることから発生する、衣類から脱離した汚れの再付着を抑制し、洗濯後の衣類の黒ずみや黄ばみを低減したドラム式洗濯機を提供することを目的とする。
【課題を解決するための手段】
【０００９】
前記従来の課題を解決するために、本発明のドラム式洗濯機は、水槽内に回転可能に設けたドラムと、前記ドラムを回転駆動するモータと、前記水槽内に洗濯水を給水する給水
手段と、前記水槽内の洗濯水を排水する排水手段と、洗い、すすぎ、脱水等の各工程を逐次制御する制御手段とを備え、前記制御手段は、洗い工程において、洗剤を溶解させた洗濯水を給水し、前記ドラムを回転させながら衣類の汚れを除去する第１の工程と、清水を給水し、前記第１の工程で除去した衣類の汚れを給水した清水へと移動させる第２の工程と、前記第２の工程で衣類の汚れを移動させた洗濯水を排水した後、洗剤を溶解させた洗濯水を給水し、前記ドラムを回転させながら衣類の汚れを除去する第３の工程を実行するようにしたものである。
【００１０】
これによって、第１の工程において洗剤を投入して衣類から汚れを除去することで、衣類が含有する洗濯水、および、衣類の周囲の洗濯水における汚れ濃度が高くなるものの、第２の工程において、新たに給水した洗剤を含まない洗濯水中へ、衣類中および衣類上に吸着している汚れを衣類から移動させることができ、さらに、第３の工程において、再び洗剤を投入して第１の工程で除去しきれなかった汚れを除去することで、衣類への汚れの再付着を抑制しながら高い洗浄性能を実現することができる。また、洗剤を投入して洗う時間を、第１の工程と第３の工程とに分割することにより、洗濯水中の汚れ濃度が高い状態で衣類が洗われる時間が短くなることで、汚れ物質が衣類と接触する頻度が低下し、汚れ物質の衣類への再付着を抑制、低下させることが可能となる。したがって、洗濯工程終了後における衣類への残留汚れを低減させ、繰り返し洗濯を行った際も、黒ずみや黄ばみを少なくすることが可能となる。
【発明の効果】
【００１１】
本発明のドラム式洗濯機は、衣類から脱離した汚れの再付着を抑制し、洗濯後の衣類の黒ずみや黄ばみを低減することができる。
【図面の簡単な説明】
【００１２】
【図１】本発明の実施の形態１のドラム式洗濯機の概略構成図
【図２】同ドラム式洗濯機のブロック構成図
【図３】同ドラム式洗濯機の動作を示すタイムチャート
【図４】（ａ）（ｂ）同ドラム式洗濯機の第２の工程における動作説明図
【図５】同ドラム式洗濯機の第２の工程における他の例の動作説明図
【図６】本発明の実施の形態２のドラム式洗濯機の動作を示すタイムチャート
【発明を実施するための形態】
【００１３】
本発明のドラム式洗濯機は、水槽内に回転可能に設けたドラムと、前記ドラムを回転駆動するモータと、前記水槽内に洗濯水を給水する給水手段と、前記水槽内の洗濯水を排水する排水手段と、洗い、すすぎ、脱水等の各工程を逐次制御する制御手段とを備え、前記制御手段は、洗い工程において、洗剤を溶解させた洗濯水を給水し、前記ドラムを回転させながら衣類の汚れを除去する第１の工程と、清水を給水し、前記第１の工程で除去した衣類の汚れを給水した清水へと移動させた後排水する第２の工程と、前記第２の工程の後、洗剤を溶解させた洗濯水を給水し、前記ドラムを回転させながら衣類の汚れを除去する第３の工程と、を実行するようにしたものである。
【００１４】
第１の工程で洗剤によって衣類から汚れが叩き出されることによって、洗濯水中の汚れ濃度が高くなった後に、給水を行い、衣類の汚れを洗濯水へと移動させる第２の工程を行うことにより、洗濯水中の洗い流された汚れが衣類に再付着するのを防ぎ、さらに、第３の工程で洗剤を用いて洗い残された汚れを再度洗濯水中へと出すことで、洗浄性能の向上と洗濯した汚れの衣類への再付着を抑えることが可能となる。特に、洗剤を新たに投入することのない第２の工程においては、衣類から洗剤成分あるいは撹拌による機械力によって分離された汚れ成分が分散している洗濯水と衣類が混在している状態において、給水を行うことにより衣類近傍の洗濯水を希釈し、汚れ成分を衣類からできる限り物理的に離し
、さらには汚れ成分の濃度を低下させることで、再び衣類上に付着する確率を減らすことが可能となる。また、洗濯水中の汚れ濃度が高い場合には、衣類への再付着が発生しやすくなるため、本発明では洗い時間を分割し、濃い汚れ濃度環境下での洗い時間を短くすることで、衣類への再付着および繰り返し洗濯時の黒ずみの抑制を可能としている。
【００１５】
上記構成において、前記制御手段は、前記第１の工程において給水および撹拌を行った後、前記水槽内の洗濯水を排水する排水工程を実行するようにしてもよい。
【００１６】
これにより、洗い工程の第１の工程の進行に伴って汚れ濃度が高くなった洗濯水を機外へと排水し、新たに清水を水槽内に導入することで、汚れ濃度の低い洗濯水の環境下で第２の工程を実行することが可能となる。そのため第２の工程では、より衣類表面に残った汚れおよび再付着によって再び衣類上に吸着した汚れが清浄な洗濯水へと移動しやすくなる。また、第３の工程では、再付着を抑えながら第１の工程で洗い残した衣類上の汚れを洗い落とすことが可能となり、一旦洗い工程において衣類より除去された汚れ物質の衣類への再付着を低減させながら洗浄性能も向上させ、繰り返し洗濯を行った後にも衣類の黒ずみや黄ばみを少なくすることが可能となる。
【００１７】
上記構成において、前記制御手段は、洗剤を投入して洗う前記第１の工程と前記第３の工程において、前記第１の工程で投入する洗剤量を前記第３の工程で投入する洗剤量より多くするようにしてもよい。
【００１８】
これにより、汚れ量が多く、汚れが衣類に強固に付着している洗濯開始時の状態においては、多めの洗剤によって衣類から汚れを洗濯水中に積極的に洗い流すことが可能となり、第３の工程では、第１の工程および第２の工程を経た後の衣類に残留している汚れを洗い落とす対象としていることから、第１の工程時に用いる洗剤量より少なめにすることで、泡の異常発生を防止することができる。
【００１９】
上記構成において、前記制御手段は、前記第２の工程での給水量を、前記第１の工程での給水量よりも多くするようにしてもよい。
【００２０】
これにより、衣類表面に残留している汚れ物質が衣類から洗濯水側へと移動しやすくなり、洗濯水側から衣類上へと向かう汚れ物質の再付着を抑えることが可能となる。
【００２１】
上記構成において、前記水槽内の洗濯水を前記ドラム内へ送水する循環ポンプと、
前記水槽内の洗濯水を前記循環ポンプにより前記ドラム内に吐出する循環水路を有し、前記第２の工程において、前記ドラムを駆動させながら前記循環ポンプを駆動し、前記ドラム内に洗濯水を吐出させるようにしてもよい。
【００２２】
これにより、速やかに衣類上に付着している汚れ物質を洗濯水側へと移動させることが可能となり、衣類への再付着を低減させ、繰り返し洗濯を行った後にも衣類の黒ずみや黄ばみを少なくすることが可能となる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態におけるドラム式洗濯機の概略構成図、図２は、同ドラム式洗濯機のブロック構成図、図３は、同ドラム式洗濯機の動作を示すタイムチャート、図４（ａ）（ｂ）は、同ドラム式洗濯機の第２の工程における動作説明図である。
【００２５】
図１〜図４において、筐体１内にダンパ２等で弾性支持した水槽３が設けられている。水槽３内には有底円筒状のドラム４が回転可能に設けられ、その回転軸４ａは角度θ（例えば、５〜２０度）で前上がりに傾斜している。
【００２６】
ドラム４の内周側面には回転軸４ａ方向であるドラム４の回転中心に向かって内方へ突出させた複数のバッフル５と、水槽３内と連通する多数の小孔６が設けられ、前面側には衣類等の洗濯物を出し入れする開口部７が設けられている。開口部７の周囲には、ドラム４が回転する際に洗濯物の偏り等によって発生する振動を低減するためのバランサ８が設けてあり、開口部７を取り囲むように環状に形成している。
【００２７】
水槽３の後面にドラム４を回転駆動するモータ９が取り付けられている。モータ９はブラシレス直流モータで構成され、インバータ制御によって回転速度が自在に変化させることができるようになっている。
【００２８】
水槽３内に洗濯水を給水する給水弁（給水手段）１０は、給水配管１１に設けられている。洗濯水は、給水配管１１に設けた洗剤を投入する洗剤ケース１２を経て給水経路１３を通り、給水口１４から水槽３内に給水する。水槽３内に供給された洗濯水は小孔６からドラム４内に流入する。給水口１４は、給水経路１３の一端を水槽３の上面後部に接続した出口部に設けられ、ドラム４の後部で水槽３内と連通している。
【００２９】
水槽３内の洗濯水を排水する排水弁（排水手段）１５は、排水経路１６に設けられている。排水経路１６は、水槽３の底部に設けた排水口１７と止水弁１８と並行して接続し、排水時は、水槽３内の洗濯水を排水口１７から排水経路１６、排水弁１５を通して機外へ排出するようにしている。
【００３０】
水槽３内の洗濯水をドラム４内へ送水する循環ポンプ１９と、水槽３内の洗濯水を循環ポンプ１９を通してドラム４内に吐出する循環水路２０を設けている。循環水路２０の一端は、止水弁１８を介して排水口１７と連通接続し、他端は、水槽３の下方を通して開口部７に臨ませた吐出口２１と連通している。
【００３１】
循環ポンプ１９を駆動し、水槽３内の洗濯水をドラム４内へ送水するときは、排水弁１５を閉じた状態で止水弁１８を開いて洗濯水を加圧することにより、排水口１７から排水経路１６、止水弁１８、循環ポンプ１９を通して吐出口２１よりドラム４内に吐出し、循環させることができる。
【００３２】
筐体１内の上方前部に設けた制御手段２２は、モータ９、給水弁１０、排水弁１５等を駆動し、洗い、すすぎ、脱水等の各工程を逐次制御する。制御手段２２は、ドラム４内に投入された洗濯物の量を検知する布量検知手段２３の出力と、水槽３内に給水された洗濯水の量を検知する水位検知手段２４の出力と、ドラム４の駆動を検知する回転検知手段２５等の出力が入力される。
【００３３】
なお、筐体１の前面に設けた開閉自在な扉２６を開くことにより、ドラム４の前面側に設けた開口部７から洗濯物を出し入れすることができる。
【００３４】
以上のように構成されたドラム式洗濯機について、以下その動作、作用を説明する。洗濯は、洗い工程、中間脱水工程、すすぎ工程１、すすぎ工程２、最終脱水工程の順に逐次実行される。洗い工程は、洗剤を溶解させた洗濯水によって衣類の汚れを除去する第１の工程と、洗剤を含まない清水を給水し衣類の汚れを洗濯水へと移動させる第２の工程と、洗剤を溶解させた洗濯水によって衣類の汚れを除去する第３の工程の順に実行される。
【００３５】
まず、筐体１の前面側に開閉自在に設けた扉２６を開いて開口部７からドラム４内に洗濯物を投入し、筐体１の上面前部に設けた操作表示部２７の電源スイッチ（図示せず）をオンし、スタートスイッチ（図示せず）を操作して運転を開始する。
【００３６】
運転の開始により、最初に洗い工程の第１の工程が実行される。第１の工程では、布量検知、給水、叩き洗いの順に実行される。ドラム４内に投入された洗濯物の量を布量検知手段２３によって検知する。洗濯物の量は、ドラム４を回転駆動し、ドラム４の回転時にモータ９にかかるトルク量やモータ９の電流値等から検知することができる。
【００３７】
制御手段２２は、検知した洗濯物の量に応じて洗い、すすぎ、脱水等の各工程の時間を設定するとともに、洗濯物の量に応じて設定された洗剤量を決定し、その目安を操作表示部２７に表示する。使用者は、表示された洗剤量の目安にしたがって洗剤を洗剤ケース１２に投入する。なお、洗剤は、使用者による手動投入のほか、一般的な洗剤自動投入装置を設けて行ってもよい。
【００３８】
次に、布量検知手段２３で検知した洗濯物の量（例えば、多、中、少の３段階）に応じて、予め設定された量の水が給水される。第１の工程で給水される水量（水位）は、表１に示すようにＬ１であり、「多」のときは、Ｗ３（例えば２８Ｌ）、「中」のときは、Ｗ２（例えば２２Ｌ）、「少」のときは、Ｗ１（例えば１８Ｌ）である。
【００３９】
【表１】
2014147550.tif 000003
【００４０】
開かれた給水弁１０から給水配管１１を通って洗剤ケース１２に入った洗濯水は、洗剤ケース１２の中の洗剤を溶かして給水経路１３を流れ、ドラム４の後部側に設けられた給水口１４から水槽３内に供給される。水槽３内の底部に溜まった洗濯水は小孔６からドラム４内に流入する。このとき、排水弁１５および止水弁１８は閉じられている。
【００４１】
水槽３内に溜まった洗濯水は、水位検知手段２４で検知され、所定量の洗濯水が供給されると、給水弁１０が閉じられる。ドラム４は、モータ９によって洗濯物が叩き洗いされる回転数、例えば、４５ｒｐｍで所定時間毎に交互に正逆回転駆動し、第１の工程を実行する。
【００４２】
叩き洗いは、洗濯物がバッフル５によってドラム４の回転方向へ持ち上げられた後、ドラム４内の上部から落下し、ドラム４の底面あるいはドラム４の底部に留まっている衣類に叩きつけられることにより、洗剤による化学力と併せて、その機械力によって洗浄が行われる。叩き洗いの時間（Ｔ１）は、例えば、約１０分である。
【００４３】
第１の工程においては、排水弁１５を閉じた状態で止水弁１８を開いて循環ポンプ１９を駆動させる。水槽３内の洗濯水は、排水口１７から排水経路１６、止水弁１８、循環ポンプ１９を通り、循環水路２０を介して吐出口２１よりドラム４内に吐出し循環させる。循環ポンプ１９によって加圧された洗濯水を吐出口２１よりドラム４内の衣類に向けて吐出させることにより、衣類と洗濯水との接触時間を長くして、洗浄力を高めることができ
る。なお、循環ポンプ１９の駆動は連続であっても間欠的であってもよい。
【００４４】
ドラム式洗濯機は、叩き洗い時の機械力による洗浄効果が大きいため、水量が多過ぎると水位が高くなった水面に落下することになり、落下時の衝突エネルギーが小さくなることで洗浄性能向上に際しては不利となる。したがって、第１の工程で給水される水量（水位）は、図４（ａ）に示すようにＬ１程度であり、衣類の下部が浸かる程度である。
【００４５】
第１の工程の叩き洗いが終了すると、続いて排水が実行される。第１の工程で使用された洗濯水の排水終了後は、洗い工程の第２の工程が実行される。第２の工程は、第１の工程で叩き洗いされた汚れを、衣類から離して洗濯水側に移動させる工程である。
【００４６】
第２の工程での給水は、洗い工程と同様に、給水弁１０から給水配管１１、洗剤ケース１２、給水経路１３を通って、ドラム４の後部側に設けられた給水口１４から水槽３内に供給される。洗剤ケース１２には洗剤がなく水のみが供給される。第２の工程では、水位Ｌ２まで給水し、衣類の周辺に存在する汚れ物質の濃度の高い洗濯水を希釈し、衣類周辺の汚れ物質の濃度を低減している。
【００４７】
汚れ物質を洗濯水へ移動させる第２の工程で給水する量は、布量検知手段２３で検知した洗濯物の量（例えば、多、中、少の３段階）に応じて、予め設定されている。この第２の工程で給水される水量（水位）は、多いほど汚れ物質の濃度を低下させることができ有利であるため、表１に示すようにＬ２であり、第１の工程の水位Ｌ１の１．５〜２倍に設定している。具体的には、「多」のときは、Ｗ６（例えば４２〜５６Ｌ）、「中」のときは、Ｗ５（例えば３３〜４４Ｌ）、「少」のときは、Ｗ４（例えば２７〜３６Ｌ）である。
【００４８】
これにより、水槽３内の衣類上に残留している汚れ物質もしくは衣類周辺の汚れ物質が多く含まれた洗濯水は、図４（ａ）に示すように新たに水をＬ２まで給水することで、清浄な水中に移動および希釈されていく。給水される清水の量は、水槽３内の衣類が静止した状態で、その大部分が水面下に位置し、洗濯水に浸かる程度であり、衣類が部分的に水面から露出してもよく、また、ドラム４の回転によって水面から露出してもよい。
【００４９】
第２の工程では、ドラム４を駆動し、ドラム４内で洗濯物の位置が入れ替わるようにしている。具体的には、図４（ｂ）に示すように、ドラム４を矢印イ方向へ回転させると、洗濯物はバッフル５によって矢印Ａ方向へ持ち上げられるように移動する。このとき、洗濯物は、Ｌ２まで給水されている洗濯水の水面から露出しドラム４内の上部まで持ち上げられることなく、ドラム４の内周壁面から斜め下方に向かって、矢印Ｂ方向へ塊状で崩れ落ちるような速度（例えば３５ｒｐｍ）で、ドラム４を回転駆動する。ドラム４の駆動時間Ｔ２は、例えば１分である。
【００５０】
これにより、ドラム４内で重なっている衣類を、新たに清浄な水を給水することで汚れ物質が希釈された洗濯水中で分離しながら、衣類間および衣類繊維中の汚れ成分を含んだ洗濯水を速やかに洗濯水全体へと拡散させることができ、洗濯物が保有する第１の工程において洗われた汚れを効果的に移動させることができる。
【００５１】
また、第２の工程におけるドラム４の駆動は、水槽３内への洗濯水の給水終了後に行うようにしている。これにより、給水過程において、緩慢に拡散し出していた衣類近傍の汚れ成分が、新たな水の給水によって汚れ物質が希釈されている洗濯水で一気に撹拌され、洗濯水全体への拡散を短時間に行うことができ、洗濯物が保有していた第１の工程で洗われた汚れを希釈された洗濯水へと効果的に移動させることができる。
【００５２】
第２の工程で所定のドラム４の駆動時間Ｔ２が経過すると、続いて排水工程へと移行する。第２の工程で使用された洗濯水の排水終了後は、再び洗剤を用いて叩き洗いを行う洗い工程の第３の工程を実行する。
【００５３】
第３の工程では、第１の工程と同様に、布量検知手段２３で検知した洗濯物の量（例えば、多、中、少の３段階）に応じて、予め設定された量の水が給水される。第３の洗い工程で給水される水量（水位）は、表１に示すように第１の工程と同様にＬ１であり、「多」のときは、Ｗ３（例えば２８Ｌ）、「中」のときは、Ｗ２（例えば２２Ｌ）、「少」のときは、Ｗ１（例えば１８Ｌ）である。
【００５４】
給水弁１０から給水配管１１を通って洗剤ケース１２に入った洗濯水は、洗剤ケース１２の中の洗剤を溶かして給水経路１３を流れ、ドラム４の後部側に設けられた給水口１４から水槽３内に供給される。水槽３内の底部に溜まった洗濯水は小孔６からドラム４内に流入する。このとき、排水弁１５は閉じられている。
【００５５】
新たに用いる洗剤は、第３の工程が開始されるまでに洗剤ケース１２中に投入されている必要があり、洗濯運転の開始時に、第１の工程と第３の工程で投入する洗剤量を操作表示部２７に表示する。例えば、洗剤ケース１２に洗剤の投入場所を複数設け、表示された量の洗剤を各々の投入場所に入れおく。洗剤ケース１２を流れる水路は、切替弁（図示せず）等で各工程での給水時に所定の洗剤量が供給されるように切り替えられる。
【００５６】
また、第３の工程が開始される直前に第１の工程と同じ場所に投入されていてもよい。投入する洗剤量は、第１の工程において、衣類から汚れ物質が一部除去されていることもあり、第１の工程時に投入した洗剤量より少なく設定することが好ましい。
【００５７】
水槽３内に溜まった洗濯水は、水位検知手段２４で検知され、第１の工程と同様に所定量の洗濯水が供給されると給水弁１０が閉じられる。ドラム４は、モータ９によって洗濯物が叩き洗いされる回転数、例えば、４５ｒｐｍで所定時間毎に交互に正逆回転駆動し、洗い工程を実行する。
【００５８】
第３の工程における叩き洗いの時間（Ｔ３）は、例えば、約１０分である。また、第３の工程においても、循環ポンプ１９を駆動させ、洗濯水を衣類に吐出させながら叩き洗いを行うことが好ましく、その際には、第１の工程と同様に、排水弁１５を閉じた状態で止水弁１８を開いて循環ポンプ１９を駆動し、水槽３内の洗濯水を、排水口１７から排水経路１６、止水弁１８を経て循環水路２０に導き、循環ポンプ１９によって加圧された洗濯水を吐出口２１よりドラム４内の衣類に向けて吐出させることにより、衣類と洗濯水との接触時間を長くして、洗浄力を高めることができる。なお、循環ポンプ１９の駆動は、連続であっても間欠的であってもよい。
【００５９】
第３の工程で所定のドラム４の駆動時間Ｔ３が経過すると、続いて中間脱水工程へと移行する。排水弁１５を開いて水槽３内の洗濯水を排出し、ドラム４を高速（例えば６００ｒｐｍ）で回転駆動する。中間脱水工程に続いて、すすぎ工程を複数回（例えば２回）実行する。
【００６０】
すすぎ工程は、ドラム４を第１の工程と同様に回転駆動し、すすぎ工程１の駆動時間Ｔ４と、すすぎ工程２の駆動時間Ｔ５は、各々例えば約３分であり、すすぎ工程１、２での水位はＬ１である。すすぎ工程でも循環ポンプ１９を駆動し、ドラム４内の衣類に向けてすすぎ水を吐出させることにより、すすぎ効果を高めることができる。最後に最終脱水工程を行って洗濯を終了する。
【００６１】
なお、乾燥機能を具備した洗濯乾燥機の場合は、洗濯運転に続いて、洗った洗濯物を乾燥させる乾燥運転を実行することができる。
【００６２】
図５は、第２の工程におけるドラム４の他の例の動作を示したもので、ドラム４内の洗濯物がドラム４の底部で揺動するように、ドラム４を正逆反転駆動するようにしたものである。具体的には、ドラム４を矢印ロ方向へ所定角度θ１（例えば、３０度）回動し、続いて、ドラム４を矢印ハ方向へ所定角度θ２（例えば、３０度）反転させるようにしている。正逆反転駆動の間隔を短時間（例えば、６０往復／ｍｉｎ）に設定すると、洗濯物をドラム４の底部で激しく揺動させることができる。
【００６３】
これにより、衣類間および衣類繊維中の汚れ成分を含んだ洗濯水を速やかに洗濯水全体へと拡散させることができ、新たに給水した清浄な水に洗濯物が保有していた第１の工程で洗われた汚れを効果的に移動させることができる。
【００６４】
以上のように、本実施の形態においては、水槽３内に回転可能に設けたドラム４と、ドラム４を回転駆動するモータ９と、水槽３内に洗濯水を給水する給水手段１０と、水槽３内の洗濯水を排水する排水手段１５と、洗い、すすぎ、脱水等の各工程を逐次制御する制御手段２２とを備え、制御手段２２は、洗い工程において、洗剤を溶解させた洗濯水を給水し、ドラム４を回転させながら衣類の汚れを除去する第１の工程と、清水を給水し、第１の工程で除去した衣類の汚れを給水した清水へと移動させる第２の工程と、第２の工程で衣類の汚れを移動させた洗濯水を排水した後、洗剤を溶解させた洗濯水を給水し、ドラム４を回転させながら衣類の汚れを除去する第３の工程を実行するようにしたものであり、洗い工程を、洗剤を用いて叩き洗いを行う第１の工程および第３の工程と、第１と第３の両工程の間に、洗剤を用いずに清浄な水を給水し、衣類に付着した汚れ物質を新たに給水した清浄な水へと拡散させる第２の工程を実行することで、第１の工程の終了後に、洗剤成分による化学力と、撹拌および叩き洗いによる機械力によって衣類から分離された、衣類の周辺に存在する汚れ物質の濃度の高い洗濯水を新たに給水した水にて希釈し、衣類周辺の汚れ物質の濃度を低減させ、また、汚れ成分を衣類から物理的に離して、機外へと汚れ物質を排出することができる。さらに、続く第３の工程において、衣類に残った汚れを再度叩き洗いによって除去することで、洗浄性能を高めながら、洗い落とした汚れが衣類に再付着することを防ぎ、洗濯終了後における衣類の残留汚れが減少し、繰り返し洗濯を行った際も、黒ずみや黄ばみを少なくすることができる。
【００６５】
（実施の形態２）
図６は、本発明の第２の実施の形態におけるドラム式洗濯機の動作を示すタイムチャートである。本実施の形態の特徴は、洗剤を用いることなく、新たに給水を行いながら衣類上や衣類近傍の汚れ物質を清浄な水に拡散させる第２の工程において、水槽３内への洗濯水の給水開始後にドラム４を駆動するとともに、循環ポンプ１９を駆動し、ドラム４内に洗濯水を吐出させるようにしたものである。他の構成は実施の形態１と同じであり、同一の構成に同一の符号を付して、詳細な説明は実施の形態１のものを援用する。
【００６６】
図６において、第１の工程で使用された洗濯水が排水された後に、第２の工程が実行される。第２の工程での給水は、第１の工程と同様に、給水弁１０から給水配管１１、洗剤ケース１２、給水経路１３を通って、ドラム４の後部側に設けられた給水口１４から水槽３内に供給される。洗剤ケース１２には洗剤がなく水のみが供給される。
【００６７】
第２の工程では、水位Ｌ２まで給水し、排水時に残った衣類の周辺および衣類中に存在する汚れ物質の濃度の高い洗濯水を新たに給水された清浄な水中へと拡散させ、衣類周辺の汚れ物質の濃度を低減する。
【００６８】
第２の工程におけるドラム４の駆動は、水槽３内への洗濯水の給水開始後に行うようにしている。ドラム４の駆動時間Ｔ６は、例えば２分である。なお、ドラム４を駆動するタイミングは、給水の開始と同時であってもよく、また、所定時間遅延後に駆動させるようにしてもよい、要は、新たに給水された清浄な水に、洗濯物が保有する、第１の工程において衣類から一旦分離された汚れを移動させることができればよい。
【００６９】
また、ドラム４の駆動は、ドラム４の回転方向へ移動する洗濯物が崩れ落ちるような速度でドラム４を駆動するようにしてもよく、また、ドラム４内の洗濯物がドラム４の底部で揺動するようにしてもよい。要は、洗濯水中で洗濯物の位置が入れ替わればよい。
【００７０】
また、第２の工程において、循環ポンプ１９を駆動するとともに、ドラム４を駆動しながら洗濯水をドラム４内に吐出させることにより、ドラム４の駆動によって位置が入れ替わる洗濯物に対して効果的に水と接触させることができ、衣類に付着している汚れ物質を速やかに洗濯水側へと移動させることができる。
【００７１】
上記の構成により、給水が行われている時から、ドラム４の底部に重なっている衣類の位置を入れ替えたり、転がしたりしながら衣類同士を分離し、新たに露出した衣類の表面や衣類の繊維間に付着している汚れ、さらには、衣類近傍に存在する洗濯水中に溶解した汚れを、給水によって新たに加えた清浄な水中へと拡散、希釈させることができる。
【００７２】
また、希釈した汚れ成分を排水によって速やかに機外へと除去することで、衣類への再付着を主原因とする残留汚れを低減させ、再度洗剤を用いて叩き洗いを行う第３の工程を実行することにより、第１の工程で洗い落としきれなかった汚れを除去するために、汚れ物質が高い濃度で存在している洗濯水での洗い時間を短くしながら高い洗浄性能を実現することができ、繰り返し洗濯を行った後にも、衣類の黒ずみや黄ばみを少なくすることができる。
【産業上の利用可能性】
【００７３】
以上のように、本発明にかかるドラム式洗濯機は、衣類から脱離した汚れの再付着を抑制し、洗濯後の衣類の黒ずみや黄ばみを低減することができるので、ドラム式洗濯機として有用である。
【符号の説明】
【００７４】
３  水槽
４  ドラム
９  モータ
１０  給水弁（給水手段）
１５  排水弁（排水手段）
１９  循環ポンプ
２０  循環水路
２２  制御手段
【図１】
2014147550.tif 000004
【図２】
2014147550.tif 000005
【図３】
2014147550.tif 000006
【図４】
2014147550.tif 000007
【図５】
2014147550.tif 000008
【図６】
2014147550.tif 000009